(57)【要約】【課題】セルフタイマーやリモコンを用いて静止画の撮影を行なう場合に、撮影後の静止画確認作業の利便性を向上させる。【解決手段】セルフタイマーによる静止画撮影が可能な撮像装置１００において、被写体像を撮像する撮像素子３と、撮像素子により撮像された静止画を表示する表示パネル１０と、撮像装置の操作を行なうための操作キー１５，１６と、セルフタイマーによる静止画撮影が行なわれた場合に、静止画の撮影後に、撮影した静止画を表示パネルに表示させるとともに、セルフタイマーにより静止画撮影が行なわれてから操作キーが操作されるまでの間、表示パネルに撮影した静止画の表示を継続させるように表示パネルを制御する制御部１４とを具備する。【選択図】      図１
2007013472.tif 000002
【特許請求の範囲】
【請求項１】
セルフタイマーによる静止画撮影が可能な撮像装置において、
被写体像を撮像する撮像手段と、
該撮像手段により撮像された静止画を表示する表示手段と、
前記撮像装置の操作を行なうための操作手段と、
セルフタイマーによる静止画撮影が行なわれた場合に、静止画の撮影後に、撮影した静止画を前記表示手段に表示させるとともに、前記セルフタイマーにより静止画撮影が行なわれてから前記操作手段が操作されるまでの間、前記表示手段に前記撮影した静止画の表示を継続させるように前記表示手段を制御する制御手段と、
を具備することを特徴とする撮像装置。
【請求項２】
リモコンを用いた遠隔操作による静止画撮影が可能な撮像装置において、
被写体像を撮像する撮像手段と、
該撮像手段により撮像された静止画を表示する表示手段と、
前記撮像装置の操作を行なうための操作手段と、
遠隔操作による静止画撮影が行なわれた場合に、静止画の撮影後に、撮影した静止画を前記表示手段に表示させるとともに、前記遠隔操作により静止画撮影が行なわれてから前記リモコン又は前記操作手段が操作されるまでの間、前記表示手段に前記撮影した静止画の表示を継続させるように前記表示手段を制御する制御手段と、
を具備することを特徴とする撮像装置。
【請求項３】
セルフタイマーによる静止画撮影が可能な撮像装置で、被写体像を撮像する撮像手段と、該撮像手段により撮像された静止画を表示する表示手段と、前記撮像装置の操作を行なうための操作手段とを備える撮像装置を制御する方法であって、
セルフタイマーによる静止画撮影が行なわれた場合に、静止画の撮影後に、撮影した静止画を前記表示手段に表示させる表示開始工程と、
前記セルフタイマーにより静止画撮影が行なわれてから前記操作手段が操作されるまでの間、前記表示手段に前記撮影した静止画の表示を継続させる表示継続工程と、
を具備することを特徴とする撮像装置の制御方法。
【請求項４】
リモコンを用いた遠隔操作による静止画撮影が可能な撮像装置で、被写体像を撮像する撮像手段と、該撮像手段により撮像された静止画を表示する表示手段と、前記撮像装置の操作を行なうための操作手段とを備える撮像装置を制御する方法であって、
遠隔操作による静止画撮影が行なわれた場合に、静止画の撮影後に、撮影した静止画を前記表示手段に表示させる表示開始工程と、
前記遠隔操作により静止画撮影が行なわれてから前記リモコン又は前記操作手段が操作されるまでの間、前記表示手段に前記撮影した静止画の表示を継続させる表示継続工程と、
を具備することを特徴とする撮像装置の制御方法。
【請求項５】
請求項３又は４に記載の制御方法をコンピュータに実行させることを特徴とするプログラム。
【請求項６】
請求項５に記載のプログラムをコンピュータ読み取り可能に記憶したことを特徴とする記憶媒体。
【発明の詳細な説明】
【技術分野】
【０００１】
本発明は、セルフタイマーおよびリモコンで静止画撮影を行なった後の画像表示制御技術に関するものである。
【背景技術】
【０００２】
従来、セルフタイマーを使用した静止画撮影おいては、レリーズ後、所定時間後に静止画撮影が行なわれ、撮影後に静止画が一定時間レビュー表示され、その後通常のプレビュー画面に戻るという動作が行なわれていた。すなわちデジタルカメラ本体にあるレリーズボタンに対して撮影の時間的な遅延を発生させるだけで、静止画撮影動作はデジタルカメラ本体のレリーズボタンを押して撮影した場合と変わらなかった。
【０００３】
また、特許第０３５０１０３５号公報（特許文献１）には、静止画撮影の時間的な遅延をセルフタイマー設定項目の中から選択し、その遅延時間に対応して、静止画撮影後の撮影静止画像のレビュー表示時間を変更する技術が開示されている。
【０００４】
また、リモコンによる静止画撮影においては、離れたところから静止画撮影が可能であるだけで、静止画撮影動作は単にデジタルカメラ本体に装着されているレリーズボタンを押す動作となんら変わらなかった。
【０００５】
ここで、静止画撮影が可能なデジタルビデオカメラの従来の動作について説明する。
【０００６】
図１は、静止画撮影可能なデジタルビデオカメラ１００の構成を示す図である。
【０００７】
図１において、１はピントを合わせるためのフォーカスレンズであり、このフォーカスレンズ１を通った光は、システムコントローラ１４により制御される絞り２により適切な光量に調節される。絞り２を通過した光は撮像素子であるＣＣＤ３の撮像面上に結像されて、電気信号に光電変換される。この光電変換された信号はＴＧ（タイミングジェネレータ）６により発生された基準クロックによって読み出され、ＣＤＳ・ＡＧＣ回路４でサンプル／ホールドされると同時に最適なゲインにコントロールされる。ＣＤＳ・ＡＧＣ回路４からの出力信号は、Ａ／Ｄ変換器５で基準クロックに同期したデジタル信号に変換される。デジタル信号に変換された画像信号には、カメラ信号処理回路７内で様々な信号処理が施され、画像データが生成される。フレームメモリ８はカメラ信号処理回路７で生成された画像データを一時的に保持するために使用される。液晶ドライバ９は、カメラ信号処理回路７で画像処理された画像データを液晶パネル１０に表示するための信号に変換し、液晶パネル１０に撮像画像を表示する。レコーダ記録再生装置１１は、デジタル信号処理された動画像データをテープにデジタル記録再生するのに使用される。圧縮回路１２は、静止画像や動画像をシステムコントローラ１４から指示された圧縮率で圧縮し、圧縮された画像データはメモリカード１３に記録される。セルフタイマー設定キー１５はシステムコントローラ１４に対してセルフタイマー設定を行うための入力手段である。静止画記録スイッチ１６は静止画撮影を行うためのレリーズスイッチである。リモコン受光素子１７は遠隔制御用リモコンからの赤外制御信号を受光するための素子である。
【０００８】
図４はセルフタイマー時における従来のシステムコントローラ１４の動作を示すフローチャートである。
【０００９】
ステップＳ２００からスタートし、次にステップＳ２０１に進み、静止画撮影モードか否かの判定を行う。ここで静止画撮影モードでないときはステップＳ２１７に進み、何もせず今回の処理を終了する。
【００１０】
ステップＳ２０１で静止画撮影モードと判定された場合はステップＳ２０２の処理に進み、セルフタイマー設定がＯＮされているか否かの判別を行う。セルフタイマー設定がＯＮであればステップＳ２０３に進む。ＯＦＦであればステップＳ２１１に進む。
【００１１】
ステップＳ２０３では、レリーズ操作がされたか否かを判別する。レリーズ操作がおこなわれていなければ、ステップＳ２１７に進み、今回の処理を終了する。レリーズ操作が行われていた場合は、ステップＳ２０４に進み、セルフタイマー計測用カウンタをスタートさせる。
【００１２】
次にステップＳ２０５に進み、セルフタイマーの時間計測が所定時間経過したかを判定する。ステップＳ２０５で所定時間経過していればステップＳ２０６に進み、静止画撮影を行う。
【００１３】
次にステップＳ２０７に進み、静止画レビュー表示保持を行い、次にステップＳ２０８に進み、セルフタイマー用静止画レビュー保持時間を計測する。ステップＳ２０８で所定時間経過していればステップＳ２０９に進み、静止画レビュー表示（撮影直後に撮影済み静止画を表示する動作）を解除する。次にステップＳ２１０に進み、静止画プレビュー画（静止画撮影を行うにあたり、静止画撮影画角を動画表示する動作）を表示し、ステップＳ２１７に進み、今回の処理を終了する。
【００１４】
以上セルフタイマーを使用した従来の静止画撮影のシーケンスを説明した。次にセルフタイマーを使用しない静止画撮影のシーケンスを説明する。
【００１５】
ステップＳ２０２でセルフタイマー設定がＯＦＦである場合はステップＳ２１１に進み、レリーズ操作が行われたか否かの判別を行う。ここでレリーズ操作が行われなかった場合はステップＳ２１７に進み、今回の処理を終了する。ステップＳ２１１でレリーズ操作が行われた場合はステップＳ２１２に進み、静止画撮影を行う。
【００１６】
次にステップＳ２１３に進み、静止画レビュー表示保持を行う。次にステップＳ２１４に進み、通常用静止画レビュー保持時間が経過したかどうかを監視する。ステップＳ２１４で所定時間経過していればステップＳ２１５に進み、静止画レビュー表示の解除を行う。
【００１７】
次にステップＳ２１６に進み、静止画プレビュー表示を行い、ステップＳ２１７に進み、今回の処理を終了する。
【００１８】
以上従来のシステムコントローラ１４の動作を説明した。この従来例において、セルフタイマーが設定された状態でのレリーズ動作では、撮影後、セルフタイマーに対応した静止画レビュー表示保持時間だけ撮影静止画を表示し、セルフタイマーが設定されていない状態でのレリーズ動作では、撮影後、通常の静止画表示保持時間だけ撮影静止画を表示するため、セルフタイマーに対応した時間だけ静止画レビュー表示を行うことができる。しかし、その時間以上経過してしまえば、静止画確認を行う場合、静止画再生モードにして撮影済み静止画を確認する必要があった。
【００１９】
図５はリモコン使用時における従来のシステムコントローラ１４の動作を示すフローチャートである。
【００２０】
ステップＳ３００からスタートし、次にステップＳ３０１に進み、静止画撮影モードであるか否かを判定する。静止画撮影モードでなければ、ステップＳ３０９に進み、今回の処理を終了する。
【００２１】
ステップＳ３０１で静止画撮影モードである場合は、ステップＳ３０２に進み、リモコンによるレリーズ操作が行われたか否かを判定する。リモコンによるレリーズ操作が行われていなければ、ステップＳ３０３に進み、本体のレリーズ操作が行われたか否かを判定する。ステップＳ３０３で本体のレリーズ操作が行われていなければ、ステップＳ３０９に進み、今回の処理を終了する。本体のレリーズ操作が行われていれば、ステップＳ３０４に進み静止画撮影を行う。
【００２２】
ステップＳ３０２においてリモコンによるレリーズ操作が行われていれば、ステップＳ３０４に進み静止画撮影を行う。次にステップＳ３０５に進み、静止画レビュー表示保持を行う。次にステップＳ３０６に進み、通常用静止画レビュー保持時間が経過したかを監視する。所定時間経過していれば、ステップＳ３０７に進み静止画レビュー表示の解除を行う。次にステップＳ３０８に進み、静止画プレビュー画表示を行い、ステップＳ３０９に進み、今回の処理を終了する。
【特許文献１】特許第０３５０１０３５号公報
【発明の開示】
【発明が解決しようとする課題】
【００２３】
以上従来のシステムコントローラ１４の動作を説明した。図４のセルフタイマー時における従来例では、セルフタイマーのレリーズ遅延時間に対応して、静止画レビュー表示保持時間を変更するように動作しているが、静止画レビュー表示保持時間経過後は、静止画レビューが終了してしまうため、撮影静止画を確認するためには本体キーの操作等により静止画再生モードにする必要があった。
【００２４】
また、図４のリモコン使用時における従来例では、本体キーを使用した場合のレリーズ操作を行った場合と何ら動作が変わることなく、撮影後の静止画表示は通常撮影の静止画表示保持時間であるため、リモコンを使用した静止画撮影後、撮影静止画を確認するためには静止画再生モードにする必要があった。
【００２５】
即ち、セルフタイマー撮影時やリモコン撮影時には、撮影者がカメラから離れている場合が多く、撮影後に撮影者がカメラの設置場所まで移動している間に静止画レビュー表示が終了してしまうことがあった。この場合には、撮影者が撮影画像の確認を行なうためには、カメラを静止画再生モードに操作して静止画を再表示させなければならなかった。
【００２６】
特に静止画を確認しながら、セルフタイマー撮影を続けておこなう場合は、撮影→再生を繰り返さなければならず、撮影直後の静止画像の確認は撮影者にとって煩わしい作業であった。
【００２７】
また、特許文献１のようにセルフタイマーによる遅延時間に対応して、静止画撮影後の撮影静止画の表示時間を変更するものもある。しかし、通常、セルフタイマーを使用した静止画撮影では、セルフタイマー起動直後はセルフタイマーを起動した撮影者は急いで被写体側にまわるが、撮影後はすぐにデジタルカメラ本体の静止画像の確認を行うとは限らない。そのため、静止画像の表示時間を変更しても、表示時間経過後に静止画確認をしようとした場合は、いったん静止画再生モードに切り替えて静止画を確認しなくてはならなかった。
【００２８】
またリモコンを使用して静止画撮影を行った場合も同様で、集合写真などにおいてリモコン操作で静止画を撮影した場合、撮影後の静止画確認をするためには静止画再生モードに切り替える必要があった。
【００２９】
従って、本発明は上述した課題に鑑みてなされたものであり、その目的は、セルフタイマーやリモコンを用いて静止画の撮影を行なう場合に、撮影後の静止画確認作業の利便性を向上させることである。
【課題を解決するための手段】
【００３０】
上述した課題を解決し、目的を達成するために、本発明に係わる撮像装置は、セルフタイマーによる静止画撮影が可能な撮像装置において、被写体像を撮像する撮像手段と、
該撮像手段により撮像された静止画を表示する表示手段と、前記撮像装置の操作を行なうための操作手段と、セルフタイマーによる静止画撮影が行なわれた場合に、静止画の撮影後に、撮影した静止画を前記表示手段に表示させるとともに、前記セルフタイマーにより静止画撮影が行なわれてから前記操作手段が操作されるまでの間、前記表示手段に前記撮影した静止画の表示を継続させるように前記表示手段を制御する制御手段と、を具備することを特徴とする。
【００３１】
また、本発明に係わる撮像装置は、リモコンを用いた遠隔操作による静止画撮影が可能な撮像装置において、被写体像を撮像する撮像手段と、該撮像手段により撮像された静止画を表示する表示手段と、前記撮像装置の操作を行なうための操作手段と、遠隔操作による静止画撮影が行なわれた場合に、静止画の撮影後に、撮影した静止画を前記表示手段に表示させるとともに、前記遠隔操作により静止画撮影が行なわれてから前記リモコン又は前記操作手段が操作されるまでの間、前記表示手段に前記撮影した静止画の表示を継続させるように前記表示手段を制御する制御手段と、を具備することを特徴とする。
【００３２】
また、本発明に係わる撮像装置の制御方法は、セルフタイマーによる静止画撮影が可能な撮像装置で、被写体像を撮像する撮像手段と、該撮像手段により撮像された静止画を表示する表示手段と、前記撮像装置の操作を行なうための操作手段とを備える撮像装置を制御する方法であって、セルフタイマーによる静止画撮影が行なわれた場合に、静止画の撮影後に、撮影した静止画を前記表示手段に表示させる表示開始工程と、前記セルフタイマーにより静止画撮影が行なわれてから前記操作手段が操作されるまでの間、前記表示手段に前記撮影した静止画の表示を継続させる表示継続工程と、を具備することを特徴とする。
【００３３】
また、本発明に係わる撮像装置の制御方法は、リモコンを用いた遠隔操作による静止画撮影が可能な撮像装置で、被写体像を撮像する撮像手段と、該撮像手段により撮像された静止画を表示する表示手段と、前記撮像装置の操作を行なうための操作手段とを備える撮像装置を制御する方法であって、遠隔操作による静止画撮影が行なわれた場合に、静止画の撮影後に、撮影した静止画を前記表示手段に表示させる表示開始工程と、前記遠隔操作により静止画撮影が行なわれてから前記リモコン又は前記操作手段が操作されるまでの間、前記表示手段に前記撮影した静止画の表示を継続させる表示継続工程と、を具備することを特徴とする。
【００３４】
また、本発明に係わるプログラムは、上記の制御方法をコンピュータに実行させることを特徴とする。
【００３５】
また、本発明に係わる記憶媒体は、上記のプログラムをコンピュータ読み取り可能に記憶したことを特徴とする。
【発明の効果】
【００３６】
本発明によれば、セルフタイマーやリモコンを用いて静止画の撮影を行なう場合に、撮影後の静止画確認作業の利便性を向上させることが可能となる。
【発明を実施するための最良の形態】
【００３７】
以下、本発明の好適な一実施形態について、図面を参照して詳細に説明する。
【００３８】
本実施形態の撮像装置の外面的構成は、図１に示した従来の撮像装置と同じであるので、その説明を省略する。本実施形態では、図１に示した従来の撮像装置とは、その動作（主にシステムコントローラ１４の制御動作）が異なる。
【００３９】
また、図１では、静止画撮影が可能なデジタルビデオカメラの構成を示しているが、本発明は、デジタルビデオカメラに限らず、デジタルカメラなどの静止画撮影が可能な撮像装置であれば、同様に適用可能であることは言うまでもない。
【００４０】
以下、本実施形態のシステムコントローラ１４の動作について説明する。図２は、セルフタイマーを使用した静止画撮影時のシーケンスを示すフローチャートである。
【００４１】
システムコントローラ１４は電源投入とともにステップＳ４００から処理を開始する。デジタルビデオカメラ１００に電源が投入されている間はこのステップＳ４００からステップＳ４１４までの処理が一定周期で繰り返し行われる。
【００４２】
ステップＳ４００のスタートから始まり、次にステップＳ４０１に進み、静止画撮影モードか否かの判定を行う。ここで静止画撮影モードでないときはステップＳ４１４に進み、今回の処理を終了する。
【００４３】
ステップＳ４０１で静止画撮影モードである場合は、ステップＳ４０２に進み、セルフタイマーの撮影遅延時間の計測中か否かの判定を行う。ステップＳ４０２でセルフタイマー計測中である場合はステップＳ４０６に進み、セルフタイマー計測が完了したか否かの判定を行う。ステップＳ４０２でセルフタイマー計測中でない場合はステップＳ４０３に進みセルフタイマーの設定がＯＮであるか否かの判定を行う。
【００４４】
ステップＳ４０３でセルフタイマーの設定がＯＮでない場合は、ステップＳ４１０に進み、静止画レビュー表示の保持中か否かの判定を行う。
【００４５】
ステップＳ４０３でセルフタイマーの設定がＯＮである場合は、ステップＳ４０４に進み、レリーズ操作が行われたかどうかの判定を行い、行われていればステップＳ４０５に進み、セルフタイマー計測をスタートさせる。ステップＳ４０４でレリーズ操作が行わなければ、ステップＳ４１４に進み、今回の処理を終了する。
【００４６】
ここでステップＳ４０２からステップＳ４０６に分岐した場合の説明を行う。
【００４７】
ステップＳ４０６でセルフタイマーの撮影遅延時間の計測が完了したか否かの判定を行う。セルフタイマーの計測が完了していなければ、ステップＳ４１４に進み、今回の処理を終了する。
【００４８】
ステップＳ４０６でセルフタイマーの計測が完了していればステップＳ４０７に進み、静止画撮影を行う。次にステップＳ４０８に進み、静止画レビュー表示（撮影直後に撮影済み静止画を自動的に表示する動作）を行い、そのまま表示を保持する。なお、ステップＳ４０７による静止画撮影が完了してから所定時間経過するのを待った後、ステップＳ４０８による静止画レビュー表示を行ってもよい。その場合、レビュー表示を待つ所定時間はセルフタイマーの撮影遅延時間に応じて可変にすることが望ましい。こうすることで、撮影者がデジタルビデオカメラ１００の設置場所に戻るまでの時間にレビュー表示をしなくて済む。
【００４９】
次にステップＳ４０９に進み、セルフタイマーの計測を停止し、セルフタイマーの設定のＯＦＦを行い、ステップＳ４１４に進み、今回の処理を終了する。
【００５０】
次に、ステップＳ４０３からステップＳ４１０に分岐した場合の説明を行う。
【００５１】
ステップＳ４１０で静止画レビューの表示が保持されているか否かの判定を行う。静止画レビュー表示保持中でなければ、ステップＳ４１４に進み、今回の処理を終了する。
【００５２】
ステップＳ４１０で静止画レビュー表示保持中であれば、すなわちセルフタイマーによる静止画撮影が行われた後であれば、ステップＳ４１１に進み、本体キー（静止画記録スイッチ（レリーズスイッチ）１６を含むデジタルビデオカメラ１００に備えられているいずれかの操作キー）もしくはリモコンの操作が行われたか否かの判定を行う。操作されていなければ、ステップＳ４１４に進み、今回の処理を終了する。
【００５３】
ステップＳ４１１で本体キーもしくはリモコンの操作が行われた場合には、ステップＳ４１２に進み、静止画レビュー表示を解除し、次にステップＳ４１３に進み、静止画プレビュー表示（静止画撮影を行うにあたり、静止画撮影画角を動画表示する動作）を行い、通常の静止画撮影準備状態に戻るようにする。次にステップＳ４１４に進み、今回の処理を終了する。
【００５４】
図２のセルフタイマーを使用した静止画撮影の動作では、レリーズ操作後、所定のセルフタイマーの撮影遅延時間を計測し、計測後に静止画撮影を行う。その後、静止画レビュー表示を通常撮影時と同様に行うが、静止画プレビューに戻らずにそのまま静止画レビュー表示を保持しつづける。次に本体キーもしくはリモコンが操作されるまで静止画レビュー表示を保持し、本体キーもしくはリモコンが操作された場合、静止画レビュー表示を解除し、静止画プレビュー表示に切り替える。
【００５５】
このように動作することにより、セルフタイマー撮影後、撮影者がデジタルビデオカメラ１００の設置場所に戻るまでに時間がかかったとしても、撮影後の静止画が液晶パネル１０に表示されたままであるので、撮影画像の確認を容易に行なうことができる。即ち、いちいち静止画再生モードに切り替えて静止画確認をする必要がなくなり、セルフタイマーを使用する場合の静止画撮影の操作性が格段に向上する。
【００５６】
次に、図３は、リモコンを使用して静止画撮影を行なった場合のシーケンスを示すフローチャートである。
【００５７】
システムコントローラ１４は電源投入とともにステップＳ５００から処理を開始する。デジタルビデオカメラ１００に電源が投入されている間はこのステップＳ５００からステップＳ５０９までの処理が一定周期で繰り返し行われる。
【００５８】
ステップＳ５００のスタートから始まり、次にステップＳ５０１に進み、静止画撮影モードか否かの判定を行う。ここで静止画撮影モードでないときはステップＳ５０９に進み、今回の処理を終了する。
【００５９】
ステップＳ５０１で静止画撮影モードである場合は、ステップＳ５０２に進み、静止画レビュー表示を保持しているか否かの判定を行う。
【００６０】
ステップＳ５０２で静止画レビュー表示を保持している場合はステップＳ５０６に進み、本体キーもしくはリモコンによる操作が行われたか否かの判定を行う。
【００６１】
ステップＳ５０２で静止画レビュー表示を保持していない場合はステップＳ５０３に進み、リモコンによるレリーズ操作が行われたか否かの判定を行う。
【００６２】
ステップＳ５０３でリモコンによるレリーズ操作が行われていない場合はステップＳ５０９に進み、今回の処理を終了する。ステップＳ５０３でリモコンによるレリーズ操作が行われた場合、ステップＳ５０４に進み、静止画撮影を行う。
【００６３】
次にステップＳ５０５に進み、静止画レビュー表示の保持を行い、ステップＳ５０９に進み、今回の処理を終了する。なお、ステップＳ５０４による静止画撮影が完了してから所定時間経過するのを待った後、ステップＳ５０５による静止画レビュー表示を行ってもよい。こうすることで、撮影者がデジタルビデオカメラ１００の設置場所に戻るまでの時間にレビュー表示をしなくて済む。
【００６４】
ステップＳ５０２で静止画レビュー表示保持中であると判定された場合、ステップＳ５０６に進み、本体キーもしくはリモコン操作が行われたか否かの判定を行う。本体キーもしくはリモコンが操作されていなければ、ステップＳ５０９に進み、今回の処理を終了する。本体キーもしくはリモコンが操作されていれば、ステップＳ５０７に進み、静止画レビュー表示を解除し、次にステップＳ５０８に進み、静止画プレビュー表示を行い、ステップＳ５０９に進み、今回の処理を終了する。
【００６５】
図３のリモコンを使用した静止画撮影の動作では、レリーズ操作後、静止画撮影を行い、静止画レビュー表示を通常撮影時と同様に行うが、その後静止画プレビューに戻らずにそのまま静止画レビュー表示を保持しつづける。次に本体キーもしくはリモコンが操作されるまで静止画レビュー表示を保持し、本体キーもしくはリモコンが操作された場合に、静止画レビュー表示を解除し、静止画プレビュー表示に切り替える。
【００６６】
このように動作することにより、リモコン撮影後、撮影者がデジタルビデオカメラ１００の設置場所に戻るまでに時間がかかったとしても、撮影後の静止画が液晶パネル１０に表示されたままであるので、撮影画像の確認を容易に行なうことができる。即ち、いちいち静止画再生モードに切り替えて静止画確認をする必要がなくなり、リモコンを使用する場合の静止画撮影の操作性が格段に向上する。
【００６７】
以上説明したように、上記の実施形態では、リモコンもしくはセルフタイマーを使用した静止画撮影においては、次の本体キーもしくはリモコンの操作まで静止画撮影後も静止画レビュー表示を保持するようにしているので、撮影後の静止画を何の操作もせずに確認することができ、リモコンまたはセルフタイマー使用時の静止画撮影での操作性を格段に向上させることができる。
【００６８】
（他の実施形態）
また、各実施形態の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００６９】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００７０】
本発明を上記記憶媒体に適用する場合、その記憶媒体には、先に説明した手順に対応するプログラムコードが格納されることになる。
【図面の簡単な説明】
【００７１】
【図１】デジタルビデオカメラの構成を示すブロック図である。
【図２】本発明の一実施形態におけるセルフタイマー撮影時のシステムコントローラの動作を示すフローチャートである。
【図３】本発明の一実施形態におけるリモコン撮影時のシステムコントローラの動作を示すフローチャートである。
【図４】従来のセルフタイマー撮影時のシステムコントローラの動作を示すフローチャートである。
【図５】従来のリモコン撮影時のシステムコントローラの動作を示すフローチャートである。
【符号の説明】
【００７２】
１  フォーカスレンズ
２  絞り
３  ＣＣＤ
４  ＣＤＳ・ＡＧＣ回路
５  Ａ／Ｄ変換器
６  タイミングジェネレータ
７  カメラ信号処理回路
８  フレームメモリ
９  液晶ドライバ
１０  液晶パネル
１１  レコーダ記録再生装置
１２  圧縮回路
１３  メモリカード
１４  システムコントローラ
１５  セルフタイマー設定キー
１６  静止画記録スイッチ
１７  リモコン受光素子
【図１】
2007013472.tif 000003
【図２】
2007013472.tif 000004
【図３】
2007013472.tif 000005
【図４】
2007013472.tif 000006
【図５】
2007013472.tif 000007